(57)【要約】【課題】入退管理システムの保守点検の作業の工数及び手間を削減できる技術を提供する。【解決手段】本入退管理システムは、保守点検時、作業者により、対象のリーダ４に診断用のカード６がかざされると、セキュリティ管理サーバ１は、診断モードに切り替える。この際、制御装置３は、リーダ４との配線の接続の状態を示すロケーションＩＤを生成し、セキュリティ管理サーバ１へ送信する。次にリーダ４に一般の入退用のカード７がかざされ、診断用の動作が行われると、セキュリティ管理サーバ１は、診断用情報を用いて、診断処理を行い、診断結果情報及びロケーションＩＤを含む情報をリーダ４へ返信する。リーダ４は、返信された情報を表示部４１に表示する。作業者は、表示情報から正常性を判定できる。その後、再度診断用のカード６がかざされると、診断モードが解除される。【選択図】図１
2015113634.tif 000002
【特許請求の範囲】
【請求項１】
電気錠が備え付けられたドアの付近に設置されカードのＩＤを読み取って認証する複数のリーダと、
前記認証を含む入退管理を行うセキュリティ管理サーバと、
前記複数のリーダと前記セキュリティ管理サーバとの間を接続する１つ以上の制御装置と、
前記制御装置と前記複数のリーダとの間の配線の接続の状態、及び前記ドアの付近のリーダ及び電気錠を含む機器の動作に関する正常性の確認を含む、保守点検の作業のために作業者に持たせる、第１のカード及び一般利用者の入退用の第２のカードと、
を有し、
前記リーダは、前記第１のカードの読み取りに応じた第１の信号を、前記制御装置を介して前記セキュリティ管理サーバへ送信し、
前記セキュリティ管理サーバは、前記第１の信号に応じて、通常の入退用のモードから保守点検用のモードへ切り替え、当該モードの開始指示を、前記制御装置を介して前記リーダへ返信し、
前記リーダは、前記モードの情報を表示する表示部を有し、
前記リーダは、前記保守点検用のモード時、前記第２のカードの読み取りに応じた第２の信号を、前記制御装置を介して前記セキュリティ管理サーバへ送信し、
前記セキュリティ管理サーバは、前記第２の信号に応じて、前記正常性の確認を含む診断処理を行い、当該診断結果情報を、前記制御装置を介して前記リーダへ返信し、
前記リーダは、前記診断結果情報を含む情報を表示する、入退管理システム。
【請求項２】
請求項１記載の入退管理システムにおいて、
前記制御装置は、前記リーダからの第１の信号に応じて、当該制御装置と複数のリーダとの配線の接続の状態を示すロケーション情報を生成し、前記セキュリティ管理サーバへ送信し、
前記セキュリティ管理サーバは、前記診断結果情報と共に、前記ロケーション情報を、前記制御装置を介して要求元のリーダへ返信し、
前記リーダは、前記セキュリティ管理サーバから前記制御装置を介して受信したロケーション情報を前記表示部に表示する、入退管理システム。
【請求項３】
請求項２記載の入退管理システムにおいて、
前記制御装置は、前記リーダからの第１の信号に応じて、当該制御装置の装置ＩＤと、前記リーダからの第１の信号を受信したポートのポートＩＤとを用いて、前記ロケーション情報を生成し、前記セキュリティ管理サーバへ送信する、入退管理システム。
【請求項４】
請求項１記載の入退管理システムにおいて、
前記リーダは、前記保守点検用のモード時、前記第２のカードの読み取り後における、前記電気錠の施解錠の信号、及び前記ドアの開閉の信号を、診断用情報として、前記制御装置を介して前記セキュリティ管理サーバへ送信し、
前記セキュリティ管理サーバは、前記診断用情報を収集し、当該診断用情報を用いて前記診断処理を行い、前記電気錠及びドアを含む部位の動作の正常性を判定する、入退管理システム。
【請求項５】
請求項２記載の入退管理システムにおいて、
前記セキュリティ管理サーバは、前記保守点検の対象の配線に関する正しいロケーション情報を含むチェックシートの情報を前記作業者に対して出力し、
前記リーダで表示されるロケーション情報と前記チェックシートのロケーション情報との比較に基づいて前記配線の接続の状態の正常性の確認が行われる、入退管理システム。
【請求項６】
請求項５記載の入退管理システムにおいて、
前記セキュリティ管理サーバは、前記保守点検の対象のエリア、部屋、及びドアを示す構築情報、を含むチェックシートの情報を、前記作業者に対して出力し、
前記リーダで表示される構築情報と前記チェックシートの構築情報との比較に基づいて前記保守点検の作業が行われる、入退管理システム。
【請求項７】
請求項１記載の入退管理システムにおいて、
前記第１のカードは、前記モードを切り替えるための機能のみを有する、入退管理システム。
【請求項８】
請求項１記載の入退管理システムにおいて、
前記リーダは、前記第１のカード及び前記第２のカードの読み取り後、再度前記第１のカードの読み取りの場合、第３の信号を、前記制御装置を介して前記セキュリティ管理サーバへ送信し、
前記セキュリティ管理サーバは、前記第３の信号に応じて、前記保守点検用のモードから通常の入退用のモードへ切り替え、当該モードの開始指示を、前記制御装置を介して前記リーダへ返信する、入退管理システム。
【発明の詳細な説明】
【技術分野】
【０００１】
本発明は、ＩＣカードを用いた入退管理システムの技術に関する。また本発明は、入退管理システムの設置時や運用稼動時における保守点検の技術に関する。
【背景技術】
【０００２】
ＩＣカードを用いた入退管理システムは、ＩＤ等が記録されている媒体であるＩＣカード、電気錠付き扉、ＩＣカードを読み取る認証装置であるリーダ、リーダを接続する制御装置、及びセキュリティ管理サーバ、等が接続されて構成される。入退管理システムは、利用者が所持するＩＣカードを、電気錠付き扉の付近に設置されたリーダで読み取って認証し、ＩＤ等が照合一致する許可された利用者のみを、入退室できるようにしている。
【０００３】
入退管理システムは、電気錠、リーダ、及び制御装置等の設置工事の際や、その後の運用稼動中に、配線経路の疎通確認や電気錠の動作確認等を含む保守点検が行われる。セキュリティ管理サーバと電気錠付き扉等のドア部との間は、リーダ、制御装置、及びＬＡＮ等を介して配線で接続される。セキュリティ管理サーバと複数のリーダとの間は、制御装置を介して接続される。ドア部付近は、電気錠、リーダ、及び制御装置等の設置機器と、それらを結ぶ配線がある。入退管理システムの機能の正常性の確認のため、上記リーダと制御装置との間の配線の確認を含む保守点検が必要である。
【０００４】
従来、上記保守点検の実施の際には、事業者側の保守点検の作業者は、顧客側から、一般利用者の入退用のカードと機能的に同等のＩＣカードを保守点検用に一時的に借り受ける。作業者は、当該ＩＣカードを保守点検対象のリーダにかざして認証及びドア開閉等の動作を行い、当該動作に応じた状態がセキュリティ管理サーバに履歴情報として記録される。そして、作業者や管理者は、セキュリティ管理サーバ側の履歴情報を参照し、上記保守点検の動作による状態が正常か否か等を確認する。
【０００５】
入退管理システムの保守点検に関する先行技術例として、特開２００７−１３２０３１号公報（特許文献１）が挙げられる。特許文献１は、保守点検の課題に対応して、ドア部にリーダを設けずに携帯端末の位置情報を利用する等、入退管理システムの構成自体を変えた例が記載されている。
【先行技術文献】
【特許文献】
【０００６】
【特許文献１】特開２００７−１３２０３１号公報
【発明の概要】
【発明が解決しようとする課題】
【０００７】
上記入退管理システムにおける保守点検の作業は、作業者一人では困難であり、多大な工数及び手間を要する。複数のリーダ等の機器及び配線が設置されるため、通常複数の作業者による作業が必要である。特に、ドア部付近で動作を行う作業者と、セキュリティ管理サーバの履歴情報を参照して状態を判断する作業者との少なくとも二人による同時及び連携の作業が必要である。
【０００８】
本発明の目的は、上記入退管理システムの保守点検に関して、保守点検の作業の工数及び手間を削減できる技術を提供することである。
【課題を解決するための手段】
【０００９】
本発明のうち代表的な実施の形態は、ＩＣカードを用いた入退管理システムであって、以下に示す構成を有することを特徴とする。
【００１０】
一実施の形態の入退管理システムは、電気錠が備え付けられたドアの付近に設置されカードのＩＤを読み取って認証する複数のリーダと、前記認証を含む入退管理を行うセキュリティ管理サーバと、前記複数のリーダと前記セキュリティ管理サーバとの間を接続する１つ以上の制御装置と、前記制御装置と前記複数のリーダとの間の配線の接続の状態、及び前記ドアの付近のリーダ及び電気錠を含む機器の動作に関する正常性の確認を含む、保守点検の作業のために作業者に持たせる、第１のカード及び一般利用者の入退用の第２のカードと、を有し、前記リーダは、前記第１のカードの読み取りに応じた第１の信号を、前記制御装置を介して前記セキュリティ管理サーバへ送信し、前記セキュリティ管理サーバは、前記第１の信号に応じて、通常の入退用のモードから保守点検用のモードへ切り替え、当該モードの開始指示を前記制御装置を介して前記リーダへ返信し、前記リーダは、前記モードの情報を表示する表示部を有し、前記リーダは、前記保守点検用のモード時、前記第２のカードの読み取りに応じた第２の信号を、前記制御装置を介して前記セキュリティ管理サーバへ送信し、前記セキュリティ管理サーバは、前記第２の信号に応じて、前記正常性の確認を含む診断処理を行い、当該診断結果情報を、前記制御装置を介して前記リーダへ返信し、前記リーダは、前記診断結果情報を含む情報を表示する。
【発明の効果】
【００１１】
本発明のうち代表的な実施の形態によれば、入退管理システムの保守点検に関して、保守点検の作業の工数及び手間を削減できる。
【図面の簡単な説明】
【００１２】
【図１】本発明の一実施の形態の入退管理システムを含む全体の構成を示す図である。
【図２】一実施の形態の入退管理システムの機能ブロックの構成を示す図である。
【図３】一実施の形態の入退管理システムの保守点検時の第１の処理シーケンスを示す図である。
【図４】一実施の形態の入退管理システムの保守点検時の第２の処理シーケンスを示す図である。
【図５】一実施の形態の入退管理システムの保守点検時の第１の事例として正常の配線の場合の説明図である。
【図６】一実施の形態の入退管理システムの保守点検時の第２の事例として異常の配線の場合の説明図である。
【図７】一実施の形態の入退管理システムの構築情報の構成例を示す図である。
【発明を実施するための形態】
【００１３】
以下、本発明の実施の形態を図面に基づいて詳細に説明する。なお実施の形態を説明するための全図において同一部には原則として同一符号を付しその繰り返しの説明は省略する。
【００１４】
［概要等］
図１〜図７を用いて、本発明の一実施の形態の入退管理システムについて説明する。本実施の形態の入退管理システムは、ＩＣカードを利用した入退管理システムであり、入退管理システムの設置時や運用稼動時の保守点検のための機能を搭載する。本実施の形態の入退管理システム及び保守点検の方式では、多大な工数の課題の解決のため、保守点検の作業をたとえ作業者一人であっても少ない手間で容易に実施することができるように、以下のような特有の保守点検の機能及び手段を搭載した。
【００１５】
本実施の形態の入退管理システムは、セキュリティ管理サーバ、制御装置、複数のリーダ、電気錠、ドア部、及びそれらを接続する配線や通信網と、一般利用者の入退用のＩＣカード、及び保守点検時の診断用のＩＣカードを有する。制御装置は、配線で複数のリーダを接続する。保守点検時、作業者は、診断用のカードと、借り受けた一般の入退用のカードとを用いて、保守点検の作業を実施する。
【００１６】
診断用のカードは、一般の入退用のカードとは別のカードであって、リーダ及びセキュリティ管理サーバ等に対して、特有の保守点検用のモード（「診断モード」と称する）を設定するために使用される。診断用のカードは、部外者等によるカードの不正利用の防止のため、一般の入退用のカードとしての機能を持たせず、上記モードの切り替えの機能を持たせる。
【００１７】
本実施の形態の入退管理システムでは、セキュリティ管理サーバとドア部との間における配線の正常性の確認、及びドア部付近の電気錠及びリーダ等の設置機器の動作の正常性の確認を含む、保守点検の作業を対象とする。本実施の形態は、少なくとも、制御装置と複数のリーダとの間の配線の疎通及び接続の正常性の確認を可能とする。
【００１８】
保守点検時、作業者により診断用のカードがドア部のリーダにかざされると、制御装置を介して、セキュリティ管理サーバに対し、システムの制御状態を特有のモードである診断モードへ遷移させる。制御装置は、保守点検に係わる特有の情報として、リーダ及び配線経路の状態に係わるロケーション情報を生成してセキュリティ管理サーバへ送信する機能を備える。
【００１９】
セキュリティ管理サーバは、上記診断用のカード及びリーダからの情報、及び制御装置からのロケーション情報を受信すると、モードを通常モードから診断モードへ切り替える。診断モード中、作業者は、一般の入退用のカードを用いて、リーダでの認証やドア開閉等の保守点検用の動作を行う。当該動作による診断用の情報がセキュリティ管理サーバへ送信される。セキュリティ管理サーバは、診断用の情報を用いて、診断処理等を行い、診断結果を含む情報を要求元のリーダ側へ返信する。
【００２０】
リーダは、保守点検のモードや診断結果等を表示する表示部を備える。リーダは、セキュリティ管理サーバからの情報を表示部に表示する。作業者は、リーダの表示情報を見て配線の正常性等を確認する。当該ドア部付近の保守点検の終了後、作業者により再び診断用のカードがドア部のリーダにかざされると、制御装置を介して、セキュリティ管理サーバへ情報が送信され、診断モードが解除される。
【００２１】
［システム構成（１）］
図１は、本実施の形態の入退管理システムを含む全体の構成を示す。本実施の形態の入退管理システムは、セキュリティ管理サーバ１、セキュリティ管理端末２、ネットワーク２０、配線２１，２２、１つ以上の制御装置３、複数のリーダ４、複数のドア５、カード６，７等を有する。例えば複数（ｍ個）の制御装置３、複数（ｎ個）のリーダ４、及び複数（ｎ個）のドア５を有する。
【００２２】
ネットワーク２０及び配線２１，２２は、入退管理システムを構成する専用の通信網や配線である。セキュリティ管理サーバ１及びセキュリティ管理端末２と、制御装置３との間は専用のＬＡＮ等のネットワーク２０で接続される。制御装置３と複数のリーダ４との間は配線２１で接続される。リーダ４とドア５の電気錠との間は配線２２で接続される。なおドア５に電気錠が備え付けられるが、リーダ４に電気錠が備え付けられてもよい。
【００２３】
人物としては、保守点検作業を行う作業者、入退管理システムの管理者、一般利用者、等がいる。なお管理者と作業者とが同じ人であってもよい。作業者は、保守点検作業の際、一時的に借り受けるＩＣカードとして、診断用のカード６と、一般利用者の入退用のカード７とを所持する。
【００２４】
セキュリティエリア８は、セキュリティ管理サーバ１で設定される管理エリアであり、当該エリア内に設置される制御装置３及びリーダ４等と関係付けて管理される。例えばＡ１で示すセキュリティエリア８内に、Ｑ１で示す制御装置３、ｄ１，ｄ２等で示す複数のドア５、Ｒ１，Ｒ２等で示す複数のリーダ４が設置されている。
【００２５】
セキュリティ管理サーバ１は、言い換えると、入退管理システムの制御部、ないし入退管理装置であり、データベース（ＤＢ）に管理情報５０を保有する。セキュリティ管理サーバ１は、管理者の操作に基づくセキュリティ管理端末２からのネットワーク２０を介したアクセス等に従って、入退管理システムの設定及び管理のための管理情報５０が設定される。セキュリティ管理端末２のグラフィカルユーザインタフェースの画面では、各種の管理情報５０の設定や内容確認が可能となっている。
【００２６】
セキュリティ管理サーバ１は、ネットワーク２０を介して各制御装置３を介して各リーダ４との間で通信し、それらの認証等を制御する。セキュリティ管理サーバ１からは、ネットワーク２０を介して、各リーダ４に対し、ＩＣカードの認証に関する設定情報の登録等が可能となっている。また逆に各リーダ４から制御装置３を介してセキュリティ管理サーバ１へ各種の情報の通知等が可能となっている。通知される各種の情報は、例えば認証結果情報、電気錠の解錠や施錠の信号、ドア開閉の信号、等がある。
【００２７】
作業者は、保守点検時、Ｃ１で示す診断用のカード６、及びＣ２で示す入退用のカード７を所持する。診断用のカード６、入退用のカード７は、非接触型のＩＣカード媒体等であり、例えば内蔵メモリに固有のＩＤ等の情報が記憶されている。当該ＩＤは、リーダ４での認証の際のＩＤ照合処理で参照される。
【００２８】
制御装置３は、ポート３０を備え、ポート３０における複数の各々のポートには、リーダ４との接続のための配線２１が接続される。なおポートの識別番号ないしＩＤを“０１”等で示す。
【００２９】
リーダ４は、表示部４１及び検知部４２等を備える。表示部４１は、例えば液晶パネルであり、保守点検時及び通常時に、各種の情報を文字や画像で表示する。例えば認証の際、作業者に対して、モードの状態や保守点検関連の状態を報せるための情報を表示する。検知部４２は、カードのかざし部であり、認証の際に作業者によりかざされた各カード６，７の情報が検知及び読み取りされる。
【００３０】
診断用のカード６は、セキュリティの観点から不正利用を防止するために、セキュリティ管理サーバ１及び制御装置３等を保守点検用の特有の診断モードに設定したり当該設定を解除したりする機能のみを持たせ、一般の入退用の権限を付与しない。
【００３１】
［システム構成（２）］
図２は、図１の入退管理システムの機能ブロックの構成を示す。セキュリティ管理サーバ１は、制御部１１、保守点検部１２、及び通信部１３を備える。ＤＢの管理情報５０は、入退管理テーブル５１、チェックシート情報５２、及びロケーション情報５３を含む。セキュリティ管理サーバ１、制御装置３、及びリーダ４等の内部は、公知技術による回路部や制御プログラム等を備える。これにより本実施の形態の特有の機能が実現される。
【００３２】
制御部１１は、入退管理テーブル５１の情報を用いながら、入退管理の制御処理を行う。入退管理テーブル５１は、セキュリティエリア８、入退経路、各カードの登録ＩＤ、等の入退管理用の公知の情報が管理者により設定される。通信部１３は、ネットワーク２０を介して制御装置３と通信する。
【００３３】
保守点検部１２は、モード管理部１２１、診断部１２２、及びチェックシート管理部１２３を含む。モード管理部１２１は、通常モードと診断モードとを切り替える管理を行う。診断部１２２は、リーダ４及び制御装置３から収集される診断用情報を用いて診断処理を行う。診断部１２２は診断結果情報をＤＢに保存してもよい。保守点検部１２または通信部１３は、制御装置３から受信するロケーション情報５３をＤＢに管理する。
【００３４】
チェックシート管理部１２３は、入退管理テーブル５１等の情報に基づいて、保守点検時に作業者が用いるためのチェックシートの情報を作成し、ＤＢに管理し、必要に応じて出力する。
【００３５】
制御装置３は、制御部３１、診断対応部３２、及びポート３０を含む。制御部３１は、セキュリティ管理サーバ１及びリーダ４と連携しながら、入退管理の制御処理を行う。診断対応部３２は、保守点検及び診断の機能に対応する処理部であり、ロケーションＩＤを含むロケーション情報を発行する処理等を行う。ポート３０は複数のポートを含み、配線２１を通じてリーダ４との通信処理を行う。
【００３６】
リーダ４は、制御部４０、前述の表示部４１及び検知部４２を含む。制御部４０は、制御装置３及びセキュリティ管理サーバ１の処理と連携しながら、認証処理を含む入退管理の処理を行う。リーダ４は、ユーザインタフェースとして、表示部４１に限らず、ＬＥＤランプ、音声出力部、及び操作ボタン等を備えてもよい。リーダ４は、ＬＥＤランプの点灯状態に応じて所定の状態を報せてもよい。リーダ４は、音声出力部から状態や情報を音声で出力してもよい。リーダ４は、操作ボタンにより指示を入力可能としてもよい。
【００３７】
保守点検時、リーダ４と制御装置３との間では、配線２１を通じて、保守点検用情報９０１，９０４がやり取りされる。保守点検時、制御装置３とセキュリティ管理サーバ１との間では、ネットワーク２０を通じて、保守点検用情報９０２，９０３がやり取りされる。また保守点検時、リーダ４とドア５との間では、配線２２を通じて、保守点検用情報９０５，９０６がやり取りされる。保守点検用情報９０１，９０２は、モード設定要求、モード解除要求、ロケーション情報、診断用情報等である。保守点検用情報９０３，９０４は、モード開始指示、モード終了指示、ロケーション情報、診断結果情報、等である。保守点検用情報９０５，９０６は、電気錠の解錠や施錠の信号、ドア５の開閉信号、等を含む、診断用情報等である。
【００３８】
［処理シーケンス（１）］
図３は、本実施の形態の入退管理システムの処理シーケンスの第１の部分を示す。作業者による、診断用のカード６と入退用のカード７とを用いた、ドア５付近のリーダ４及び電気錠等の設置機器及び配線２１，２２に関する診断を含む保守点検の作業時の処理を示す。なお図３，図４では、保守点検作業の全体のうち、対象の１つのドア５付近の個別の点検作業の部分を示す。
【００３９】
（S100a）  予め、セキュリティ管理サーバ１は、チェックシート管理部１２３を用いて、管理者により作業者に対して、保守点検用のチェックシートの情報を発行する。作業者は、発行されたチェックシートの用紙を受け取るか、または自分用の端末にチェックシートの情報を受信及び保持する。
【００４０】
（S100b）  最初、リーダ４は、通常モードの表示の状態である。作業者は、個別の保守点検の対象のドア５（例えば図１のｄ１）付近のリーダ４（例えばＲ１）の所に行く。
【００４１】
（S101）  作業者は、対象のドア５付近のリーダ４に、診断用のカード６をかざす。当該動作は個別の点検開始をシステムへ伝える動作に相当する。
【００４２】
（S102）  リーダ４は、診断用のカード６の認証を行う。即ち当該カードのＩＤを登録ＩＤと照合して認証し、認証結果情報を制御装置３及びセキュリティ管理サーバ１へ通知する。認証が成功の場合は診断を含む作業が許可され、失敗の場合は許可されない。
【００４３】
（S103）  リーダ４は、S102の認証結果が成功である場合、診断モード設定要求を制御装置３へ送信し、制御装置３は当該要求をセキュリティ管理サーバ１へ送信する。
【００４４】
（S104）  制御装置３は、S103の診断モード設定要求を受けると、後述のロケーションＩＤを生成及び発行し、S103の要求と共に、セキュリティ管理サーバ１へ送信する。ロケーションＩＤは、要求元のリーダ４及び当該リーダ４との配線経路の状態を示す情報である。ロケーションＩＤは、制御装置３の識別の装置ＩＤと、ポート３０のうちの要求元のリーダ４から信号を受信したポートの識別番号等を用いて生成される。
【００４５】
（S105）  セキュリティ管理サーバ１のモード管理部１２１は、制御装置３を介したリーダ４からの診断モード設定要求を受けると、通常モードから診断モードへと切り替えるように設定し、診断モードの開始指示を、制御装置３を介して要求元のリーダ４へ通知する。またこの際、セキュリティ管理サーバ１は、S104の制御装置３からのロケーションＩＤを用いて、制御装置３へ開始指示と共に送信する。当該ロケーションＩＤは、要求元のリーダ４等を示す情報であるため、セキュリティ管理サーバ１は、制御装置３からのロケーションＩＤへ向けて情報を返信するようにすれば、要求元へ情報が届くことになる。制御装置３は、セキュリティ管理サーバ１からの開始指示及びロケーションＩＤを受けて、当該ロケーションＩＤで示されるポートに対応した要求元のリーダ４へ、開始指示を送信する。
【００４６】
（S106）  要求元のリーダ４は、セキュリティ管理サーバ１からのS105の診断モード開始指示を、制御装置３を介して受け取ると、表示部４１に、診断モードの開始、及び現在診断モードの状態であることを伝える情報を表示する。作業者は、当該表示部４１の表示情報を見ることで、診断モードの開始等を認識及び確認する。
【００４７】
なおロケーション情報の処理に関して、図３では上記S103〜S106の順で処理しているが、これに限らず可能である。他の処理の形態として、例えばS103，S105，S104の順で処理してもよい。即ち、制御装置３は、リーダ４からS103の要求を受けると、そのままセキュリティ管理サーバ１へ送信してまずモードを診断モードへ切り替えさせる。そして、制御装置３は、セキュリティ管理サーバ１からS105の診断モードの開始指示を受けてから、S104のロケーションＩＤを発行し、セキュリティ管理サーバ１へ送信する。
【００４８】
（S111）  作業者は、診断モードに入ったことを確認後、一般の入退用のカード７を用いて、個別の点検における診断用の動作を行う。作業者はまず対象のリーダ４に入退用のカード７をかざす。当該動作は、一般利用者による入退時の認証が正常に機能するかどうかを確認するための診断用動作に相当する。
【００４９】
（S112）  リーダ４は、S111の入退用のカード７についてＩＤ照合により認証し、認証結果情報を、制御装置３を介してセキュリティ管理サーバ１へ通知する。
【００５０】
（S113）  リーダ４は、S112の認証の結果が成功の場合、ドア５の解錠信号をドア５の電気錠へ送信すると共に、制御装置３を介してセキュリティ管理サーバ１へ通知する。
【００５１】
（S114）  作業者は、対象のドア５を開閉する動作を行う。当該動作は、ドア５の開閉動作に応じて正常に機能するかどうかを確認するための診断用動作に相当する。なお点検用の動作なので作業者は実際にドア５を通過しなくてもよい。
【００５２】
（S115）  リーダ４は、S114のドア５の開閉動作に応じた、ドア５の開信号、及び閉信号を、制御装置３を介してセキュリティ管理サーバ１へ送信する。
【００５３】
（S116）  リーダ４は、S114のドア５の閉動作に応じた、ドア５の電気錠の施錠信号をドア５の電気錠へ送信すると共に、制御装置３を介してセキュリティ管理サーバ１へ通知する。
【００５４】
（S117）  一方、セキュリティ管理サーバ１は、S105の診断モードの開始により、S104のロケーションＩＤを保持しつつ、制御装置３を介してリーダ４側から送信されてくる診断用情報を収集及び保持する。診断用情報は、S112，S113，S115，S116等による情報である。またセキュリティ管理サーバ１は、診断モードの開始、診断用情報の受信、あるいは診断用情報の途絶、等の所定の時点から、タイマのカウントを開始する。
【００５５】
（S121）  作業者は、個別のドア５付近の点検におけるS111，S114等の診断用動作を終えると、診断用のカード６を再び対象のリーダ４にかざす。当該動作は、個別の点検の診断用動作の終了をシステムへ伝える動作に相当し、言い換えると当該診断用動作について診断して欲しいという要求に相当する。
【００５６】
［処理シーケンス（２）］
図４は、図３の続きである処理シーケンスの第２の部分を示す。
【００５７】
（S122）  S121の動作を受け、リーダ４は、診断用のカード６についての認証をS102と同様に行い、認証結果情報を、制御装置３を介してセキュリティ管理サーバ１へ通知する。
【００５８】
（S123）  リーダ４は、S122の認証が成功の場合、診断モードの解除要求を制御装置３へ送信する。
【００５９】
（S124）  制御装置３は、S123の診断モードの解除要求と共に、S104と同様にロケーションＩＤを、セキュリティ管理サーバ１へ送信する。
【００６０】
（S125）  セキュリティ管理サーバ１は、S123の解除要求及びS124のロケーションＩＤを受けると、S117で収集した診断用情報を用いて、診断部１２２により診断処理を行う。なおセキュリティ管理サーバ１は、ロケーションＩＤから、点検対象のリーダ４及びドア５等を把握することができる。
【００６１】
（S126）  セキュリティ管理サーバ１のモード管理部１２１は、S123の解除要求に対応して、診断モードを解除し、即ち、診断モードから通常モードへ切り替える。そしてセキュリティ管理サーバ１は、制御装置３を介して要求元のリーダ４へ、診断モードの終了指示をロケーションＩＤと共に送信する。またセキュリティ管理サーバ１は、診断モードの終了指示と共に、S125の診断結果情報を送信する。診断結果情報は、同じロケーションＩＤと後述の構築情報とを含む。診断結果情報は、作業者の診断用動作に対応した正常（ＯＫ）及び異常（ＮＧ）等の診断結果を含む。構築情報は、チェックシート情報５２に基づいて生成される情報である。
【００６２】
なお他の処理の形態として、S125とS126の処理の順序を逆にしてもよい。
【００６３】
（S131）  セキュリティ管理サーバ１は、S117のタイマカウントによる所定の時間（例えば３分）の経過後でもS123の解除要求が無い場合、自動的及び強制的に、診断モードを解除する。これによりS126以降と同様の処理が行われる。これにより作業者が２回目の診断用のカード６のかざしによる診断モードの解除を忘れた場合も、当該機能により対応でき、通常モードへ戻すことができる。
【００６４】
（S127）  リーダ４は、制御装置３を介して診断モードの解除指示、ロケーションＩＤ及び診断結果情報を受信する。リーダ４は、表示部４１に、まず、診断モードの状態において診断結果情報及びロケーションＩＤを表示する。
【００６５】
（S128）  作業者は、リーダ４の表示部４１の表示情報の内容を目視確認する。表示情報は、ロケーションＩＤを含むので、作業者は、当該ロケーションＩＤと、自分のチェックシートに記載の対応するロケーションＩＤとを比較し、配線２１に関する正常性を判定し、その結果をチェックシートに記入する。配線２１が正常の場合は当該ロケーションＩＤが一致し、接続ミス等の異常の場合は当該ロケーションＩＤが不一致になるので、作業者は容易に判定できる。
【００６６】
また表示情報のうちの診断結果情報は、カード７の認証の状態やドア５や電気錠等の機能の正常性に関する診断結果であるＯＫやＮＧの情報を含む。作業者は、当該診断結果情報を見て、特に判定を要さずに、そのままチェックシートに診断結果として記入できる。
【００６７】
（S129）  リーダ４は、S126の診断モード解除指示を受けて情報を表示してから、一定時間、例えば３０秒、待機する。これは、作業者による表示情報の確認の時間の確保のためである。
【００６８】
（S130）  リーダ４は、上記一定時間の経過後、表示部４１において、診断結果情報等を消去し、診断モードの終了、通常モードの開始、及び現在通常モードの状態であることを示す情報を表示する。これにより個別の点検の作業が終わる。他の複数の対象の点検の作業も当該個別の作業と同様の繰り返しである。
【００６９】
［点検作業（１）］
図５は、本実施の形態の入退管理システムにおける第１の事例として、接続が正常の配線２１の場合における、点検作業時の診断処理等の事例を示す。S201等は、動作や処理や信号の流れ等を示す。事例として、対象の建物への入退管理システムの新規導入及び設置時、あるいは通常運用中の保守時に、一人の作業者により、対象の建物の各セキュリティエリア８における設置機器及び配線経路の正常性の判定及び確認作業を含む点検作業を行う例である。
【００７０】
図５は、複数の制御装置３と複数のリーダ４との間の配線２１のすべてが正常な接続の場合である。図５の例では特に、Ｑ１で示す第１の制御装置３の第１のポート“01”とＲ１で示す第１のリーダ４との間の配線２１ａと、Ｑ１の第２のポート“02”とＲ２で示す第２のリーダ４との間の配線２１ｂとを示す。
【００７１】
作業者は、セキュリティ管理サーバ１から発行されたチェックシートの構築情報等に従い、建物の１階のセキュリティエリアＡ１の部屋Ａのドアｄ１から点検を開始し、次にドアｄ２を点検し、といったように順に点検を行う。
【００７２】
（S201）  作業者は、前述のように、Ｃ１で示す診断用のカード６をドアｄ１のＲ１のリーダ４にかざすことで点検作業及び診断モードの開始を要求し、その後、入退用のカード７を用いて診断用動作を行う。
【００７３】
（S202）  Ｒ１のリーダ４は、カード６のＩＤ照合による認証が成功した場合、Ｑ１の制御装置３へ、診断モード設定要求の信号を送信する。Ｑ１の制御装置３のポート“01”とＲ１のリーダ４との間の配線２１ａにおいて、S202の信号が送信される。
【００７４】
（S203）  Ｑ１の制御装置３は、自分の装置ＩＤである“0001”と、Ｒ１のリーダ４からのS202の情報を受信したポートのポートＩＤである“01”とを用いて、ロケーションＩＤを生成する。本例では、生成の仕方として、装置ＩＤ（“0001”）とポートＩＤ（“01”）とを１つにつなげることで、ロケーションＩＤ＝“000101”とする。
【００７５】
（S204）  Ｑ１の制御装置３は、S203のロケーションＩＤ（“000101”）を、セキュリティ管理サーバ１へ送信する。
【００７６】
（S205）  セキュリティ管理サーバ１は、Ｑ１の制御装置３からのロケーションＩＤ（“000101”）を受信及び保持する。セキュリティ管理サーバ１は、診断モード開始要求を受けた場合は診断モードへ切り替えて診断モード開始指示を返信する。またセキュリティ管理サーバ１は、同じ要求元であるＲ１のリーダ４からの診断用情報を受信した場合は診断処理を行う。セキュリティ管理サーバ１は、要求元のＲ１のリーダ４、即ちロケーションＩＤ（“000101”）を送信してきた同じＱ１の制御装置３へ向けて、上記のような情報を返信する。
【００７７】
（S206）  セキュリティ管理サーバ１からＱ１の制御装置３を介してＲ１のリーダ４へ、上記診断モード開始指示や診断結果情報やロケーションＩＤ（“000101”）等の信号が送信される。診断結果情報は、要求元のＲ１のリーダ４及びｄ１のドア５等に対応付けられた構築情報を含む。
【００７８】
（S207）  Ｑ１の制御装置３は、セキュリティ管理サーバ１からのS206の信号を受信し、S202の要求元のＲ１のリーダ４からの信号を受信した同じポート“01”から送信する。Ｑ１の制御装置３のポート“01”とＲ１のリーダ４との間の配線２１ａにおいて当該信号が送信される。
【００７９】
（S208）  S207の信号を受信したＲ１のリーダ４は、表示部４１に、診断モード開始メッセージや、診断結果情報や、ロケーションＩＤ（“000101”）や、構築情報等を表示する。表示されるロケーションＩＤは、配線経路情報を表している。診断結果情報は、診断用動作に応じたカード認証、電気錠の施解錠、及びドア開閉等における正常（ＯＫ）や異常（ＮＧ）等の情報が含まれている。
【００８０】
（S209）  作業者は、S208の表示情報を目視確認し、チェックシートに記載の正しいロケーションＩＤ（“000101”）や構築情報等と見比べることにより、機器や配線の正常性の判定及び確認等を行う。本例の場合、Ｑ１の制御装置３とＲ１のリーダ４との間の配線２１ａが正常の接続の状態なので、表示情報のロケーションＩＤ（“000101”）と、チェックシートに記載のロケーションＩＤ（“000101”）とが一致する。よって、作業者は、配線２１ａが正常であることが確認できる。作業者は、チェックシートに、配線２１の正常性の状態の判定結果であるＯＫ（ロケーションＩＤの一致を示す）や、認証や施解錠等の診断結果情報であるＯＫ、等の情報を記入する。
【００８１】
チェックシートの構築情報は、点検の対象の建物の階数、エリア名、部屋名等の情報が人にとってわかりやすい文字や画像の情報で記載されているので、作業者は構築情報を見ることで、点検の対象を間違えにくい。
【００８２】
［点検作業（２）］
図６は、本実施の形態の入退管理システムにおける第２の事例として、接続が異常の配線２１の場合における、点検作業時の診断処理等の事例を示す。複数の制御装置３と複数のリーダ４との間の配線２１において一部が異常な接続の場合である。図６の例では特に、Ｑ１の制御装置３の第２のポート“02”とＲ１のリーダ４との間の誤った配線２１ｃと、Ｑ１の第１のポート“01”とＲ２のリーダ４との間の誤った配線２１ｄとを示す。
【００８３】
（S301）  作業者は、点検作業を実施する際、診断用のカード６を、ドアｄ１のＲ１のリーダ４にかざす。
【００８４】
（S302）  Ｒ１のリーダ４から、誤った配線２１ｃにおいて、S301による診断モード設定要求の信号がＱ１の制御装置３へ送信される。
【００８５】
（S303）  Ｑ１の制御装置３は、Ｒ１のリーダ４からのS301の信号をポート“02”で受信する。Ｑ１の制御装置３は、装置ＩＤ“0001”及びポートＩＤ“02”を用いて、ロケーションＩＤ＝“000102”を生成する。
【００８６】
（S304）  Ｑ１の制御装置３は、S303のロケーションＩＤを含む信号をセキュリティ管理サーバ１へ通知する。
【００８７】
（S305）  セキュリティ管理サーバ１は、Ｑ１の制御装置３からのロケーションＩＤ（“000102”）を受信及び保持する。セキュリティ管理サーバ１は、診断モード開始要求を受けた場合は診断モードへ切り替えて診断モード開始指示を返信する。またセキュリティ管理サーバ１は、同じ要求元であるＲ１のリーダ４からの診断用情報を受信した場合は診断処理を行う。セキュリティ管理サーバ１は、要求元のＲ１のリーダ４、即ちロケーションＩＤ（“000102”）を送信してきた同じＱ１の制御装置３へ向けて、上記のような情報を返信する。
【００８８】
（S306）  セキュリティ管理サーバ１からＱ１の制御装置３を介してＲ１のリーダ４へ、上記診断モード開始指示や診断結果情報やロケーションＩＤ（“000102”）等の信号が送信される。
【００８９】
（S307）  Ｑ１の制御装置３は、セキュリティ管理サーバ１からのS306の信号を受信し、S302の要求元のＲ１のリーダ４からの信号を受信した同じポート“02”から送信する。Ｑ１の制御装置３のポート“02”とＲ１のリーダ４との間の配線２１ｃにおいて当該信号が送信される。
【００９０】
（S308）  S307の信号を受信したＲ１のリーダ４は、表示部４１に、診断モードや診断結果情報やロケーションＩＤ（“000102”）や構築情報等を表示する。
【００９１】
（S309）  作業者は、S308の表示情報を目視確認し、チェックシートの情報と見比べることにより、機器及び配線の正常性の判定及び確認等を行う。本例の場合、配線２１ｃ，２１ｄを含む配線２１が接続の異常の状態なので、表示情報のロケーションＩＤ（“000102”）と、チェックシートに記載のロケーションＩＤ（“000101”）とが不一致になる。よって、作業者は、配線２１が異常であると判定できる。特に、作業者は、表示情報及びチェックシート情報から、配線の異常の内容についても推測できる。作業者は、ロケーションＩＤの値“000102”及び“000101”から、配線２１ａと配線２１ｂとを取り違えた接続ミスの可能性を推測できる。
【００９２】
作業者は、チェックシートに、配線２１の正常性の状態の判定結果であるＮＧ（ロケーションＩＤの不一致を示す）や、認証や施解錠等の診断結果情報であるＯＫ、等の情報を記入する。なお作業者は、チェックシートに、表示情報のロケーションＩＤの値（“000102”）を記入しておいてもよい。
【００９３】
なおリーダ４とドア５との間の配線２２に問題がある場合、診断結果情報でドア開閉信号等の診断結果が異常になる。これにより作業者は配線２２の異常を知ることができる。
【００９４】
［ロケーション情報及びチェックシート情報］
前述のロケーション情報やチェックシート情報について補足する。ロケーション情報は、本実施の形態の保守点検の機能に対応させて新たに設けた情報である。ロケーションＩＤは、制御装置３から見た接続経路を示す情報であり、特に制御装置３と複数のリーダ４との間の配線２１の接続の状態を反映した情報である。ロケーションＩＤは、前述の制御装置３の装置ＩＤ、及びポート３０のポートＩＤを含む情報であり、ポートＩＤは、配線２１の状態を示している。なお制御装置３の装置ＩＤは、ネットワーク２０のＩＰアドレス等の情報を用いてもよい。
【００９５】
チェックシート情報及び構築情報は、セキュリティ管理サーバ１の出荷時や設置時に、予め設定または生成される。顧客都合に応じてエリアや経路の構成、機器設置場所や配線等の変更がある場合、当該情報の設定が更新される。
【００９６】
チェックシート情報における構築情報は、セキュリティエリア８のＩＤやドア５のＩＤ等の抽象的な識別番号等の情報の他に、建物名、階数、エリア名、部屋名、等の人が判断及び認識しやすい情報を含む。これにより保守点検作業の際、作業者は、自分がどの建物のエリアや部屋やドア５にいるか、保守点検の対象のリーダ４やドア５がどれか、等がわかりやすく、対象の取り違え等のミスを削減できる。
【００９７】
図７は、チェックシート情報５２に含まれる構築情報５４の管理に関する構成例を示す。図７の構築情報５４は、項目として、制御装置３の装置ＩＤ、リーダＩＤ、ドアＩＤ、建物階数、セキュリティエリア８のエリアＩＤ、エリア名、部屋名、等を有する。このように、構築情報５４は、制御装置３、リーダ４、及びドア５の対応関係を含む情報を、人がわかりやすい文字等の形式で示す情報を含む。
【００９８】
なお構築情報５４の使用は必須ではなく、他の実施の形態の入退管理システムでは、構築情報５４を用いない形態としてもよい。本実施の形態のようにロケーションＩＤに加えて構築情報５４を併用する形態により、作業者が保守点検の際によりわかりやすく判断ができる。
【００９９】
［効果等］
以上説明したように、本実施の形態の入退管理システムによれば、入退管理システムの保守点検に関して、設置機器及び配線経路の正常性の確認を含む保守点検の作業を効率良く実施できるようにする機能を提供するので、保守点検の作業の工数及び手間を削減できる。本実施の形態によれば、セキュリティ管理サーバ１とドア５付近の設置機器との間の接続の状態、特に少なくともリーダ４と制御装置３との間の配線２１の部分の正常性の確認について、少ない工数及び作業者で実現できるようになり、作業の効率が大幅に改善できる。
【０１００】
本実施の形態によれば、特に、作業者一人であっても、ドア５付近の設置機器や配線の疎通確認を含む保守点検の作業を少ない手間で容易に効率良く行うことができる。作業者は、各ドア５付近のリーダ４の所で診断モードにして点検を実施し、リーダ４の表示部４１の情報と、チェックシートの情報とを比較することで、容易に正常性を確認できる。従来はセキュリティ管理サーバ１側に別の作業者を確保する必要があるが、本実施の形態ではその必要も無い。
【０１０１】
また本実施の形態によれば、作業者の情報の読み取りや判断等における負担やミスが少なくなるように、特有の仕組みで支援することができる。従来例の入退管理システムは、セキュリティ管理サーバに蓄積された詳細な履歴情報の内容を見て正常性を判断する等の手間が必要であり、情報の解釈や判断のミス等も起こり得る。一方本実施の形態では、作業者は、従来例のようにセキュリティ管理サーバの履歴情報を見て正常性を判断する等の手間が不要であり、情報の解釈や判断のミス等も削減できる。
【０１０２】
また従来の保守点検時、セキュリティ確保のために、作業者と共に顧客に同行してもらう場合もあった。従来は作業者による保守点検時に一般利用者の入退用のカードを借り受けて保守点検を行っていた。一方、本実施の形態では、ＩＤ登録されている診断用のカード６を用いて診断モードに切り替えて、入退用のカード７で診断用動作を行う仕組みであり、２枚の使い分けにより、セキュリティが確保される。顧客から借り受けた入退用のカードのみや、専用の１枚の万能のカードだけで保守点検ができる仕組みとする場合、作業者による不正利用の可能性がある。診断用のカード６を落としたり盗まれたりした場合も、診断用のカード６では通常の入退はできないので、セキュリティが確保される。
【０１０３】
本実施の形態は、リーダ４からセキュリティ管理サーバ１へ所定の情報を送り、セキュリティ管理サーバ１からリーダ４へ所定の情報を返す仕組みである。従来例の入退管理システムは、保守点検時に、セキュリティ管理サーバから制御装置側へ診断結果やロケーションＩＤ等の情報を返すような処理は行っていない。本実施の形態では、セキュリティ管理サーバ１から返される情報をリーダ４に表示し、作業者は、リーダ４の表示情報とチェックシートの情報との比較だけで、容易に正常性の判定ができる。
【０１０４】
本実施の形態は、２種のカードの使い分け等でセキュリティを確保しつつ、保守点検作業が従来よりも簡単な手順で済むようにシステム化した。本実施の形態は、通常運用時の入退に係わる基本的なシステム構成を変えずに、保守点検用の機能を工夫した。
【０１０５】
複数（ｍ個）の制御装置３と、複数（ｎ個）のリーダ４との間の配線２１は、配線２１をつなぐ制御装置３及びポート３０やリーダ４を間違える等、接続のミスが起こりやすい。本実施の形態の保守点検の機能により、配線２１について正常性を容易に確認できる。
【０１０６】
診断モードを設けて診断用情報を送受信する形態としたので、通常運用時の情報と分離されるので、通信負荷やセキュリティ管理サーバ１の処理負荷が少なくなる効果も見込める。
【０１０７】
以上、本発明を実施の形態に基づき具体的に説明したが、本発明は前記実施の形態に限定されるものではなく、その要旨を逸脱しない範囲で種々変更可能である。
【０１０８】
他の実施の形態の入退管理システムは、リーダ４で、表示部４１の文字等の表示ではなく、音や光で状態を作業者に報せてもよい。リーダ４は例えば音声でロケーションＩＤを読み上げてもよい。
【０１０９】
他の実施の形態の入退管理システムとして、制御装置３とセキュリティ管理サーバ１とを統合した形態としてもよい。この統合された入退管理装置は、複数のポートを持ち、複数のリーダ４と配線で接続される。そして、複数の各リーダ４と入退管理装置との間で、前述の実施の形態と同様に、ロケーションＩＤ等を用いて、保守点検時の診断を含む処理が行われる。これにより、複数の各リーダ４と入退管理装置との間の配線を含む正常性を容易に確認できる。
【０１１０】
他の実施の形態の入退管理システムとして、ロケーションＩＤを用いた配線２１の正常性の判定を行わない形態としてもよい。即ちリーダ４とドア５との間の配線２２、ドア５の開閉や電気錠の施解錠を対象とした診断結果情報のみをリーダ４の表示部４１に表示する形態としてもよい。
【０１１１】
他の実施の形態として、リーダ４からセキュリティ管理サーバ１へモードの設定や解除の要求を送信しない形態としてもよい。この場合、図３のシーケンス中、S102のように診断用のカード６の認証結果情報のみをセキュリティ管理サーバ１へ送信する。すると、セキュリティ管理サーバ１は、当該認証結果情報のＩＤから、ＤＢの登録ＩＤを参照することで、診断用のカード６であることを確認できるので、診断モードへの切り替えを許可する。解除の時も同様である。
【０１１２】
前述の実施の形態では、ロケーション情報の生成の際に複数のリーダ４の識別情報を用いていないが、他の実施の形態として、リーダ４のＩＤを用いてロケーション情報を生成する形態としてもよい。
【産業上の利用可能性】
【０１１３】
本発明は、入退管理システム等に利用可能である。
【符号の説明】
【０１１４】
１…セキュリティ管理サーバ、２…セキュリティ管理端末、３…制御装置、４…リーダ、５…ドア、６…カード、７…カード、８…セキュリティエリア、２０…ネットワーク、２１…配線、２２…配線、３０…ポート、４１…表示部、４２…検知部、５０…管理情報。
【図１】
2015113634.tif 000003
【図２】
2015113634.tif 000004
【図３】
2015113634.tif 000005
【図４】
2015113634.tif 000006
【図５】
2015113634.tif 000007
【図６】
2015113634.tif 000008
【図７】
2015113634.tif 000009